(57)【特許請求の範囲】
【請求項１】
平面で板状のシート部材を第１の折り目で谷折りすることによって、隣接する２つの面で形成される角部に、梱包される物品の少なくとも一部を当接させて保持する物品保持構造を形成する方法であって、
前記シート部材に、
任意の間隔の２本の切り込みと、
前記２本の切り込みの間で、前記切り込みに直交する第２の折り目と、
前記２本の切り込みの一方の端の間で、前記切り込みに直交する第３の折り目と、
前記２本の切り込みの他方の端の間で、前記切り込みに直交する第４の折り目とを形成し、
前記第１の折り目は、前記２本の切り込みの外側であって、且つ、前記第２の折り目の延長線上に重ならない位置に形成し、
前記シート部材を前記第１の折り目で谷折りすることにより前記角部を形成するとともに、
前記第２の折り目と前記第３の折り目とを谷折りさせ、前記第４の折り目を山折りさせて、前記２本の切り込みと前記第２の折り目と第３の折り目とで囲まれた領域を前記角部に斜めに立ち上がらせて、前記角部に斜めの物品保持構造を形成することを特徴とする物品保持構造形成方法。
【請求項２】
平面で板状のシート部材を第１の折り目で谷折りすることによって、隣接する２つの面で形成される角部に、梱包される物品の少なくとも一部を当接させて保持する物品保持構造を形成する方法であって、
前記シート部材に、
任意の間隔の２本の切り込みと、
前記２本の切り込みの間で、前記切り込みに直交する第２の折り目と、
前記２本の切り込みの一方の端の間で、前記切り込みに直交する第３の折り目と、
前記２本の切り込みの他方の端の間で、前記切り込みに直交する第４の折り目と、
前記第４の折り目の延長線上で、前記第１の折り目と平行な第５の折り目とを形成し、
前記第１の折り目は、前記２本の切り込みの外側であって、且つ、前記第２の折り目の延長線上に重ならない位置に形成し、
前記シート部材を前記第１の折り目で谷折りして前記角部を形成するとともに前記第５の折り目で谷折りすることにより、
前記第２の折り目と前記第３の折り目と前記第４の折り目とを谷折りさせて、前記２本の切り込みと前記第２の折り目と第３の折り目とで囲まれた領域を前記角部に斜めに立ち上がらせて、前記角部に斜めの物品保持構造を形成することを特徴とする物品保持構造形成方法。
【請求項３】
平面で板状のシート部材を第１の折り目で谷折りすることによって、隣接する２つの面で形成された角部に、梱包される物品の少なくとも一部を当接させて保持する物品保持構造が形成された物品保持材であって、
前記物品保持構造は、
前記シート部材に、任意の間隔の２本の切り込みと、前記２本の切り込みの間で、前記切り込みに直交する第２の折り目と、前記２本の切り込みの一方の端の間で、前記切り込みに直交する第３の折り目と、前記２本の切り込みの他方の端の間で、前記切り込みに直交する第４の折り目とが形成されて、
前記第１の折り目は、前記２本の切り込みの外側であって、且つ、前記第２の折り目の延長線上に重ならない位置に形成されており、
前記シート部材が前記第１の折り目で谷折りされることにより、前記角部が形成されるとともに、前記第２の折り目と前記第３の折り目とが谷折りされ、前記第４の折り目が山折りされて、前記２本の切り込みと前記第２の折り目と第３の折り目とで囲まれた領域が前記角部に斜めに立ち上げられてなる物品保持構造であることを特徴とする物品保持材。
【請求項４】
平面で板状のシート部材を第１の折り目で谷折りすることによって、隣接する２つの面で形成された角部に、梱包される物品の少なくとも一部を当接させて保持する物品保持構造が形成された物品保持材であって、
前記物品保持構造は、
前記シート部材に、任意の間隔の２本の切り込みと、前記２本の切り込みの間で、前記切り込みに直交する第２の折り目と、前記２本の切り込みの一方の端の間で、前記切り込みに直交する第３の折り目と、前記２本の切り込みの他方の端の間で、前記切り込みに直交する第４の折り目と、前記第４の折り目の延長線上に前記第１の折り目と平行な第５の折り目と,が形成されて、
前記第１の折り目は、前記２本の切り込みの外側であって、且つ、前記第２の折り目の延長線上に重ならない位置に形成されており、
前記シート部材が前記第１の折り目で谷折りされることにより、前記角部が形成されるとともに、前記第５の折り目で谷折りされることにより、前記第２の折り目と前記第３の折り目と前記第４の折り目とが谷折りされて、前記２本の切り込みと前記第２の折り目と第３の折り目とで囲まれた領域が前記角部に斜めに立ち上げられてなる物品保持構造であることを特徴とする物品保持材。
【発明の詳細な説明】
【技術分野】
【０００１】
本発明は、１枚の板状の段ボール等のシート部材を折り曲げて物品保持材を形成する技術に関し、特には、前記物品保持材に物品保持構造を簡単に形成する技術に関するものである。
【背景技術】
【０００２】
従来より、板状の段ボールに折り目や切り込みを設けて折り曲げて、例えば箱状の梱包材を形成することが行われている。このような梱包材は、特許文献１などにおいて開示されている。
その一般的な例を図１０、１１を参照して説明する。
100は素材となる板状の段ボールであり、この段ボール100で物品を保持して収納するための梱包材200を構成する基本手順を説明する。
【０００３】
まず、前記段ボール100を、破線で示した谷折り目110ａで谷折りして、例えば底面100ａと右側面100ｂを形成して、図１１に示したような梱包材200を形成する。そして、この梱包材200の２つの面に囲まれた空間に、電子機器等の物品を収納する。なお、前記谷折り目110ａは、当該段ボール100の段ボール目に直交する方向としている。
このとき、前記収納した物品が、梱包材200内の空間でずれることを防止するために、物品保持構造400が形成されている。前記物品保持構造400は、前記物品の外形寸法に応じた位置に複数設けることがある。
【０００４】
１つの物品保持構造400を、前記１枚の板状の段ボール100から構成するために、前記段ボール100には、例えば、図１０に示したように、前記谷折り目110ａに直交する２本の切り込み120、120を設ける。さらに、前記２本の切り込み120、120の両端を結ぶ折り目130,130と、前記谷折り目110ａと平行な折り目140を設ける。
このようにして、切り込みと折り目を設けた段ボール100を谷折り目110ａで折り曲げて底面100ａと右側面100ｂとを直角に折り曲げて空間を形成した後、前記２本の切り込み120、120で挟まれた領域を前記空間側に押し出して、図１１に示したような断面形状が矩形の物品保持構造400を形成する。
【０００５】
図１０における折り目140は、図１１の状態においては山折りとなるため、組み立て作業を容易にするためには、前記折り目140は山折りを容易とするために、裏面から折り目を形成することが望まれるが、そのためには、２つの折り目130,130と谷折り目110ａとは表側から折り目を入れ、その後、段ボール100を裏表反転させてから、前記折り目140を設けるという複雑な工程が必要となる。
また、折り目を入れるための型が、２つの折り目130,130と谷折り目110ａを形成する分と、折り目140を形成する分とで２つ必要になり、加工費用が高くなるという問題がある。
また、このような矩形の物品保持構造を形成するために２本の切り込み120,120で挟まれた領域を押し出す作業は、大変指先に力の必要な作業であり、多数の物品保持構造を形成することは大変苦痛を伴った作業であった。
なお、折り目140には、貫通しない切れ目を設けることで、組み立てやすくなるが、段ボールがその部分で切れやすくなり、特に、強度が要求される場合や、幅が狭くなる場合には不適切である。
【０００６】
前記課題を解決するために、１枚の板状の段ボール等のシート部材を折り曲げて梱包材を形成するに際して、物品保持構造を容易に形成することができる技術を提供することを目的とする発明を、出願人は特許文献２において既に特許出願した。
前記特許出願に係る発明は、図１２、１３、１４に示したように、
段ボール等のシート部材500を谷折り目501ｃで折り曲げることで形成される隣接する２つの面510ｃ，510ｄに、梱包される物品の少なくとも一部を当接させる物品保持構造を形成する方法であって、
平面で板状のシート部材500に、
任意の間隔の２本の切り込み531,532を形成し、
前記２本の切り込み531,532の両端から少し内側に、それぞれ前記切り込み531,532に直交する２本の折り目534,536を形成し、
前記谷折り目501ｃは、前記２本の切り込み531,532の外側に形成し、
当該シート部材500を、前記谷折り目501ｃで折り曲げることにより、前記２本の切り込み531,532と２本の折り目534,536によって囲まれた領域503Ｐを斜めに立ち上がらせて、斜めの物品保持構造を形成することを特徴とする発明である。
また、前記２本の切り込み531,532の両端に、前記２本の折り目534,536に平行な折り目533,535を更に形成する発明である。
【０００７】
前記発明は、図１３に示したように、前記シート部材を、前記谷折り目で折り曲げることにより、前記２本の切り込みと２本の折り目によって囲まれた領域を斜めに立ち上がらせて、斜めの物品保持構造を形成するものであるが、図１４に示したように、前記２本の折り目534,536で折り曲げられた部分Ｄ１，Ｄ２が、前記２つの面510ｃ，510ｄから外側へ２箇所で突出するので、その突出部Ｄ１，Ｄ２が、他の部材、例えば他のシート部材を重ねて配置することに邪魔になるという問題がある。
【先行技術文献】
【特許文献】
【０００８】
【特許文献１】実開昭58−163473（実願昭57−60641）号公報
【特許文献２】特願２００９−１５５２６５号
【発明の概要】
【発明が解決しようとする課題】
【０００９】
本発明は、１枚の板状の段ボール等のシート部材を折り曲げて物品保持材を形成するに際して、物品保持構造を更に容易に形成することができる技術を提供することを目的とするものである。
【課題を解決するための手段】
【００１０】
請求項１に係る物品保持構造形成方法は、
平面で板状のシート部材を第１の折り目で谷折りすることによって、隣接する２つの面で形成される角部に、梱包される物品の少なくとも一部を当接させて保持する物品保持構造を形成する方法であって、
前記シート部材に、
任意の間隔の２本の切り込みと、
前記２本の切り込みの間で、前記切り込みに直交する第２の折り目と、
前記２本の切り込みの一方の端の間で、前記切り込みに直交する第３の折り目と、
前記２本の切り込みの他方の端の間で、前記切り込みに直交する第４の折り目とを形成し、
前記第１の折り目は、前記２本の切り込みの外側であって、且つ、前記第２の折り目の延長線上に重ならない位置に形成し、
前記シート部材を前記第１の折り目で谷折りすることにより前記角部を形成するとともに、
前記第２の折り目と前記第３の折り目とを谷折りさせ、前記第４の折り目を山折りさせて、前記２本の切り込みと前記第２の折り目と第３の折り目とで囲まれた領域を前記角部に斜めに立ち上がらせて、前記角部に斜めの物品保持構造を形成することを特徴としている。
請求項２に係る物品保持構造形成方法は、
平面で板状のシート部材を第１の折り目で谷折りすることによって、隣接する２つの面で形成される角部に、梱包される物品の少なくとも一部を当接させて保持する物品保持構造を形成する方法であって、
前記シート部材に、
任意の間隔の２本の切り込みと、
前記２本の切り込みの間で、前記切り込みに直交する第２の折り目と、
前記２本の切り込みの一方の端の間で、前記切り込みに直交する第３の折り目と、
前記２本の切り込みの他方の端の間で、前記切り込みに直交する第４の折り目と、
前記第４の折り目の延長線上で、前記第１の折り目と平行な第５の折り目とを形成し、
前記第１の折り目は、前記２本の切り込みの外側であって、且つ、前記第２の折り目の延長線上に重ならない位置に形成し、
前記シート部材を前記第１の折り目で谷折りして前記角部を形成するとともに前記第５の折り目で谷折りすることにより、
前記第２の折り目と前記第３の折り目と前記第４の折り目とを谷折りさせて、前記２本の切り込みと前記第２の折り目と第３の折り目とで囲まれた領域を前記角部に斜めに立ち上がらせて、前記角部に斜めの物品保持構造を形成することを特徴としている。
【００１１】
請求項３に係る物品保持材は、
平面で板状のシート部材を第１の折り目で谷折りすることによって、隣接する２つの面で形成された角部に、梱包される物品の少なくとも一部を当接させて保持する物品保持構造が形成された物品保持材であって、
前記物品保持構造は、
前記シート部材に、任意の間隔の２本の切り込みと、前記２本の切り込みの間で、前記切り込みに直交する第２の折り目と、前記２本の切り込みの一方の端の間で、前記切り込みに直交する第３の折り目と、前記２本の切り込みの他方の端の間で、前記切り込みに直交する第４の折り目とが形成されて、
前記第１の折り目は、前記２本の切り込みの外側であって、且つ、前記第２の折り目の延長線上に重ならない位置に形成されており、
前記シート部材が前記第１の折り目で谷折りされることにより、前記角部が形成されるとともに、前記第２の折り目と前記第３の折り目とが谷折りされ、前記第４の折り目が山折りされて、前記２本の切り込みと前記第２の折り目と第３の折り目とで囲まれた領域が前記角部に斜めに立ち上げられてなる物品保持構造であることを特徴としている。
請求項４に係る物品保持材は、
平面で板状のシート部材を第１の折り目で谷折りすることによって、隣接する２つの面で形成された角部に、梱包される物品の少なくとも一部を当接させて保持する物品保持構造が形成された物品保持材であって、
前記物品保持構造は、
前記シート部材に、任意の間隔の２本の切り込みと、前記２本の切り込みの間で、前記切り込みに直交する第２の折り目と、前記２本の切り込みの一方の端の間で、前記切り込みに直交する第３の折り目と、前記２本の切り込みの他方の端の間で、前記切り込みに直交する第４の折り目と、前記第４の折り目の延長線上に前記第１の折り目と平行な第５の折り目と,が形成されて、
前記第１の折り目は、前記２本の切り込みの外側であって、且つ、前記第２の折り目の延長線上に重ならない位置に形成されており、
前記シート部材が前記第１の折り目で谷折りされることにより、前記角部が形成されるとともに、前記第５の折り目で谷折りされることにより、前記第２の折り目と前記第３の折り目と前記第４の折り目とが谷折りされて、前記２本の切り込みと前記第２の折り目と第３の折り目とで囲まれた領域が前記角部に斜めに立ち上げられてなる物品保持構造であることを特徴としている。
【発明の効果】
【００１２】
本願発明に係る物品保持構造形成方法は、
平面で板状のシート部材を第１の折り目で谷折りすることによって、隣接する２つの面で形成される角部に、梱包される物品の少なくとも一部を当接させて保持する物品保持構造を形成する方法であって、
前記シート部材に、
任意の間隔の２本の切り込みと、
前記２本の切り込みの間に前記切り込みに直交する第２の折り目とを形成し、
前記第１の折り目は、前記２本の切り込みの外側であって、且つ、前記第２の折り目の延長線上に重ならない位置に形成したので、
前記シート部材を前記第１の折り目で谷折りすることにより前記角部を形成するとともに、
前記２本の切り込みによって挟まれた領域を前記第２の折り目で谷折りさせて、前記角部に斜めの物品保持構造を容易に形成することができる。
このとき、前記隣接する２つの面の一方からは前記第２の折り目で折り曲げられた部分が外部に突出するが、他方の面からは突出しないので、前記他方の面に、他のシート部材などを重ねて配置することによって補強することができる。
請求項１では、さらに、
前記２本の切り込みの一方の端の間に前記切り込みに直交する第３の折り目を形成し、
前記２本の切り込みの他方の端の間に前記切り込みに直交する第４の折り目を形成したので、
前記シート部材を前記第１の折り目で谷折りすることにより前記角部を形成するとともに、
前記第２の折り目と前記第３の折り目とを谷折りさせ、前記第４の折り目を山折りさせることが容易になり、
前記２本の切り込みと前記第２の折り目と第３の折り目とで囲まれた領域を前記角部に斜めに立ち上がらせて、前記角部に斜めの物品保持構造を形成することが容易になる。
請求項２では、さらに、
前記２本の切り込みの一方の端の間に前記切り込みに直交する第３の折り目を形成し、
前記２本の切り込みの他方の端の間に前記切り込みに直交する第４の折り目を形成し、
さらに、前記第４の折り目の延長線上に前記第１の折り目と平行な第５の折り目を形成したので、
前記シート部材を前記第１の折り目で谷折りして前記角部を形成するとともに前記第５の折り目で谷折りすることにより、
前記第２の折り目と前記第３の折り目と前記第４の折り目とを谷折りさせて、
前記２本の切り込みと前記第２の折り目と第３の折り目とで囲まれた領域を前記角部に斜めに立ち上がらせて、前記角部に斜めの物品保持構造を形成することができる。
また、第４の折り目と第５の折り目とが重なって同一線上で折り曲げられた物品保持材を構成することができる。
【００１３】
本願発明に係る物品保持材は、
平面で板状のシート部材を第１の折り目で谷折りすることによって、隣接する２つの面で形成された角部に、梱包される物品の少なくとも一部を当接させて保持する物品保持構造が形成された物品保持材であって、
前記物品保持構造は、
前記シート部材に形成された任意の間隔の２本の切り込みの間に、前記切り込みに直交する第２の折り目が形成されて、
前記第１の折り目は、前記２本の切り込みの外側であって、且つ、前記第２の折り目の延長線上に重ならない位置に形成されており、
前記シート部材が前記第１の折り目で谷折りされて、前記２本の切り込みによって挟まれた領域が前記第２の折り目で谷折りされることによって、前記角部に斜めに形成されてなる物品保持構造であるので、
物品保持構造の形成が容易であるとともに、前記隣接する２つの面の一方からは前記第２の折り目で折り曲げられた部分が外部に突出するが、他方の面からは突出していないので、前記他方の面に、他のシート部材などを重ねて配置することによって補強することができる。
請求項３では、さらに、
前記物品保持構造は、
前記２本の切り込みの一方の端の間に前記切り込みに直交する第３の折り目が形成され、
前記２本の切り込みの他方の端の間に前記切り込みに直交する第４の折り目が形成され、
当該シート部材が前記第１の折り目で折り曲げされることにより、
前記第２の折り目と前記第３の折り目とが谷折りされるとともに、前記第４の折り目が山折りされて、
前記２本の切り込みと前記第２の折り目と第３の折り目とで囲まれた領域が前記角部に斜めに立ち上げられて、前記角部に斜めの物品保持構造が形成されているので、
第３の折り目と第４の折り目でも折り曲げられ、物品保持構造が、さらに容易に形成されている。
請求項４では、さらに、
前記２本の切り込みの一方の端の間に前記切り込みに直交する第３の折り目が形成され、
前記２本の切り込みの他方の端の間に前記切り込みに直交する第４の折り目が形成され、
前記第４の折り目の延長線上に前記第１の折り目と平行な第５の折り目が形成され、
当該シート部材が前記第１の折り目と前記第５の折り目で谷折りされることにより、
前記第２の折り目と前記第３の折り目と前記第４の折り目とが谷折りされて、
前記２本の切り込みと前記第２の折り目と第３の折り目とで囲まれた領域が前記角部に斜めに立ち上げられて、前記角部に斜めの物品保持構造が形成されているので、
第４の折り目と第５の折り目とが重なって同一線上で折り曲げられた物品保持材を構成することができる。
【図面の簡単な説明】
【００１４】
【図１】本発明に係る物品保持構造形成方法に用いる段ボールの平面図である。
【図２】本発明に係る物品保持構造形成方法の説明図である。
【図３】本発明に係る物品保持構造形成方法の説明図である。
【図４】本発明に係る物品保持材の斜視図である。
【図５】本発明に係る物品保持材の使用状態の説明図である。
【図６】別実施例に係る物品保持構造形成方法に用いる段ボールの平面図である。
【図７】図６の段ボールによる物品保持材の側面図である。
【図８】さらに別の実施例に係る物品保持構造形成方法に用いる段ボールの平面図である。
【図９】図８の段ボールによる物品保持材の側面図である。
【図１０】従来例の物品保持構造形成方法に用いる段ボールの平面図である。
【図１１】従来例の物品保持構造の側面断面図である。
【図１２】別の従来例の物品保持構造形成方法に用いる段ボールの平面図である。
【図１３】別の従来例の物品保持構造形成方法の説明図である。
【図１４】別の従来例による物品保持構造の側面図である。
【発明を実施するための形態】
【００１５】
本発明に係る物品保持構造形成方法を実施するための形態を示した図１において、
１は素材となるシート部材としての板状の段ボールであり、この段ボール１で物品を収納するための物品保持材を構成する基本手順を説明する。
【００１６】
まず、前記段ボール１には、３本の破線で示した谷折り目１ａ，１ｂ，１ｃを設ける。これらの３本の谷折り目によって前記段ボール１は４つの面10ａ，１0ｂ，１0ｃ，１0ｄに分けられる。前記谷折り目は、当該段ボール１の段ボール目に直交する向きに形成する。なお、前記谷折り目１ｃが特許請求の範囲に記載された第１の折り目に対応している。
次に、２つの物品保持構造を形成する場合には、前記段ボール１の所定の２カ所に物品保持構造を形成するための切り込みと折り目とを、以下のように形成する。
【実施例１】
【００１７】
以下においては、１つの物品保持構造３を、前記谷折り目１ｃの近傍に形成する場合を、図１、２、３、４を参照して説明する。
まず、物品保持構造を形成すべき所定位置に前記谷折り目１ｃに直交する切り込み31を入れる。この切り込み31は裏面まで貫通した切り込みである。
そして、前記切り込み31に平行な切り込み32を同様に設ける。これら２本の切り込みの間隔は、形成しようとする物品保持構造に求められる強度等の条件に応じて適宜決定するとよい。これらの切り込みは、段ボールの隣接する２つの面１０ｃ，１０ｄの両面にまたがっている必要がある。
【００１８】
次に、前記切り込み31の一方の端と前記切り込み32の一方の端とを結ぶ折り目33を形成する。次に、前記切り込み31、32の他方の端どうしを結ぶ折り目35と、その内側の折り目3４とを、前記折り目３３に平行に形成する。
前記折り目３４は、前記谷折り目１ｂ，１ｃの延長線上に重ならない位置に設ける。図１の場合では、前記折り目３５に近い位置に設ける。
前記折り目３５も、前記谷折り目１ｂ，１ｃの延長線上に重ならない位置に設ける。
【００１９】
このとき、前記折り目33、３４は谷折りしやすい折り目とし、前記折り目3５は山折りしやすい折り目とすることが望まれるが、そのような加工は手間がかかるので、両方とも単に押しつぶして形成した折り目で十分である。
なお、前記折り目３３が特許請求の範囲に記載された第３の折り目に対応し、
前記折り目３４が特許請求の範囲に記載された第２の折り目に対応し、
前記折り目３５が特許請求の範囲に記載された第４の折り目に対応している。
【００２０】
ここで重要なことは、前記谷折り目１ｃは、２本の切り込み31,32に挟まれた領域３Ｐ内には形成せずに前記領域３Ｐの外側にのみ形成することである。
ここでは、２本の切り込み31,32と、２本の折り目3３,3４とに挟まれた領域３Ｐは、前記谷折り目１ｃで折り曲げた場合に前記領域３Ｐにかかる力（本実施例では段ボール目の方向にかかる力）では容易には折り曲げられない板状の領域となっていることが必要なのである。
以上のようにして、１つの物品保持構造を形成するための切り込みと折り目とを形成する。同様の切り込みと折り目を、前記谷折り目１ｃの近傍であって、且つ別の位置に形成して、別の位置にも物品保持構造を形成する。
【００２１】
以上のようにして、３本の谷折り目１ａ，１ｂ，１ｃに加えて、２つの物品保持構造を形成するための切り込みと折り目とが形成された段ボール１を、図２のように、前記３本の谷折り目１ａ，１ｂ，１ｃの部分で谷折りして物品保持材を組み立てる。
このとき、１つの物品保持構造が、前記谷折り目１ｃの近傍に形成される過程を図３を参照して説明する。
図３の（Ａ）は、前記谷折り目１ｃで谷折りする前の状態の要部の斜視図を示し、図３の（Ｂ）は、前記谷折り目１ｃで少し谷折りした状態の要部の斜視図を示し、図３の（Ｃ）は、前記谷折り目１ｃで直角に谷折りして角部を形成した状態の要部の斜視図を示し、図３の（Ｄ）は、前記谷折り目１ｃで直角に谷折りした状態の要部の側面断面図を示している。
【００２２】
図３の（Ｂ）に示したように、外部から力を加えて、前記谷折り目１ｃで少し谷折りすると、段ボールの２つの面１０ｃ、１０ｄが近づくため、前記折り目33と折り目35との距離は、図３の（Ａ）の状態より近づく。しかし、２本の折り目３３，34で挟まれた領域３Ｐは、前述したように、前記谷折り目１ｃで折り曲げた場合に前記領域３Ｐにかかる力（本実施例では段ボール目の方向にかかる力）では容易には折り曲げられない板状の領域であるので、前記折り目3４が自然に座屈して谷折りとなり、前記折り目3３は自然に座屈して谷折となり、前記折り目3５は自然に座屈して山折りとなり、図３の（Ｃ），（D）に示したように、前記２本の折り目3３,３４に挟まれた領域３Ｐが、前記谷折り目１ｃの近傍の角部において自然に斜めに配置され、谷折りするための力を加えるだけで、隣接する２つの面１０ｃ、１０ｄに形成される角部に、斜めの物品保持構造３が容易に形成できるのである。
【００２３】
同様に、別の位置の物品保持構造４も形成されるのである。
このようにして、図４に示したように、２カ所に物品保持構造３、４が形成された物品保持材２ができあがる。
以下においては、前記物品保持材２に、図５の（Ａ）に示したような形状の電子部品等の物品７を、図５の（Ｂ）に示したように保持させる場合を説明する。図４、５においては、説明の便宜上、２つの物品保持構造３、４に形成される領域に同じ符号３Ｐを付した。
前記物品７は、本体７２に、例えばアンテナのような突起物７１を備えているものとする。
【００２４】
前記物品７を、前記物品保持材２を用いて所定の位置に保持する場合には、前記本体７２を、２箇所に形成された物品保持構造３、４の間に入れて、前記本体７２を前記２つの面１０ｃ、１０ｄと、前記２つの物品保持構造３、４とに当接させて、所定の位置に保持させる。このとき、前記物品保持構造３においては、前記領域３Ｐと、前記隣接する２つの面１０ｃ，１０ｄとで囲まれた空間Ｓが形成されるので、この空間Ｓに、前記物品７の突起物７１を差し込んで保持させることができる。
【００２５】
このようにして、前記２つの面１０ｃ、１０ｄと前記２カ所に形成された物品保持構造３、４とに前記物品７の表面を当接させた状態で収納する。収納された前記物品７は、前記２つの面１０ｃ、１０ｄと前記２カ所に形成された物品保持構造３、４とに当接した状態で所定の位置に保持されるので、輸送途中等において傾いたり動かされたりしても、前記物品７がずれることなく安全に輸送することができるのである。さらに、物品７に突起物７１がある場合でも、この突起物７１を前記空間Ｓで保持することができるので、突起物７１の損傷も防ぐことができ、物品７を保持する位置の位置決めも容易になるので、さらに、確実に保持することができる。
【００２６】
本発明によれば、以上のようにして、所定の切り込みと折り目を形成した段ボールに、谷折りするための力を加えるだけで、斜めの物品保持構造を形成することができるので、従来のような矩形の物品保持構造を形成する場合に比べて、物品保持構造が形成された物品保持材を、容易に組み立てることができる。
【００２７】
さらに、前記領域３Ｐが長くなると変形しやすくなるが、前記領域３Ｐの場合には、長くなっても、図３の（Ｃ）に示したように、その側縁３１Ｐ，３２Ｐが前記段ボールの面１０ｃの切り込み３１，３２の端面で保持されるので、十分な強度が得られる。そのため、物品７を十分な強度で保持することができる。
このように、前記領域３Ｐを長くしても強度が確保されるので、前記領域３Ｐの裏側の空間Ｓを広く確保することができ、この空間Ｓに、物品７の突起物などのように突出している部分を挿入して、十分な強度で保持することができるのである。
【００２８】
さらに、前記段ボールの面１０ｃの下側には前記折り目３４の山折り部が突出するが、前記段ボールの面１０ｄの外側には突出しないので、前記段ボールの面１０ｄの外側に、さらに一枚もしくは複数枚の段ボールを重ねて配置して、前記段ボールの面１０ｄを補強することができる。また、前記段ボールの面１０ｃの下側には、前記折り目３４の山折り部によって、複数に区分けされた隙間が形成されるので、この隙間に前記物品７の付属部品等を収納することもできる。
【実施例２】
【００２９】
図６、７に示したように、実施例２においては、段ボール５には、３本の破線で示した谷折り目５ａ，５ｂ，５ｃを設けた。これらの３本の谷折り目によって前記段ボール５は４つの面５0ａ，５0ｂ，５0ｃ，５0ｄに分けられている。前記谷折り目は、当該段ボール５の段ボール目に直交する向きに形成した。
前述した実施例１においては、折り目３５の延長線上に段ボール１の谷折り目１ｂ，１ｃが重ならないように配設したが、図６、７に示した実施例２では、段ボール５の折り目５５の延長線上に、段ボール５の別の谷折り目５ｂが重なるように配設した。
なお、図６、７において、５１、５２は２本の切り込み、５４は第２の折り目、５３は第３の谷折り目、５５は第４の折り目に対応している。
そして、前記谷折り目５ｂは第５の折り目に対応している。
【００３０】
図６において、５７は、前記別の谷折り目５ｂの一部に折り目を設けず、その部分に、段ボール５の面５０ｂから面５０ｃ側へ横向きのＵ字状に形成されたＵ字状切り込みである。この切り込み５７の始端と終端との間には前記別の谷折り目５ｂは形成されていない。
５８は、前記谷折り目５ｃの一部に折り目を設けず、その部分に、段ボール５の面５０ｄから面５０ｃ側へ横向きのＵ字状に形成されたＵ字状切り込みである。この切り込み５８の始端と終端との間には前記谷折り目５ｃは形成されていない。
【００３１】
この場合には、図７に示したように、前記段ボール５から形成された物品保持材６においては、折り目５５も谷折り目５ｂも同じ線上で谷折りされるが、谷折り目５ｂは直角に谷折りされるのに対して、折り目５５は鈍角で谷折りされる。
前記物品保持材６では、斜めに形成された領域５Ｐによって物品を保持するための物品保持構造５６が角部に形成される。また、領域５Ｐの裏側に形成された空間５Ｓに突起物などを収納することができる。
【００３２】
前記段ボール５を前記谷折り目５ｂで谷折りするとき、前記Ｕ字状切り込み５７は谷折りされないので、図７に示したように、段ボールの面５０ｂから下側に延びて脚状の部材５７ａを形成する。
前記段ボール５を前記谷折り目５ｃで谷折りするとき、前記Ｕ字状切り込み５８は谷折りされないので、図７に示したように、段ボールの面５０ｄから下側に延びて脚状の部材５８ａを形成する。
前記２つの脚状の部材５７ａ、５８ａの高さを、前記折り目５４で形成された部分の高さと同じになるように構成することで、前記物品保持材６を、前記２つの脚状の部材５７ａ、５８ａと、前記折り目５４とを脚として自立させることができる。そして、段ボールの面５０ｃの下側に形成される隙間に、物品の付属品などを収納することができる。
【実施例３】
【００３３】
上記実施例１は、請求項２、５に対応した実施例であり、上記実施例２は、請求項３、６に対応した実施例であるが、請求項１、４に対応した実施例３を、図８、９を参照して説明する。
図８、９に示したように、実施例３においては、前記実施例１と異なる点は、折り目３３、３５を設けずに、折り目３４のみを設けた点である。すなわち、第３、４の折り目を設けないため、図９に示したように、物品保持構造３０を構成する領域３０Ｐと、段ボールの面１０ｃ、１０ｄの境界部分で角が形成されずに曲線的に変形する点である。
なお、図８、９においては、実施例１と同様の構成については同じ符号を付して、その説明を省略した。
実施例３の場合には、折り目を形成する手間が少なくなるという効果が得られる。
【００３４】
本発明に係る物品保持構造は、ひとつの物品保持材に何カ所設けてもよい。
以上のように、本発明によれば、物品保持構造を極めて容易に形成することができるので、優れた作業効率が得られる。また、上記構成の物品保持構造を形成するための切り込みと折り目は、従来の標準的な片面からの段ボール加工装置を用いて加工することができるので、低コストで実施することができる。
なお、前記段ボールに代えて、種々の板状のシート部材を用いることができる。
【産業上の利用可能性】
【００３５】
本発明は、段ボールを用いた物品保持材に限らず、種々の構造に応用することができる。
【符号の説明】
【００３６】
１  段ボール、シート部材
１ｃ  谷折り目、第１の折り目
２      物品保持材
３、４  物品保持構造
31,32  切り込み
33  折り目、第3の折り目
34  折り目、第2の折り目
35  折り目、第4の折り目
３Ｐ  領域
５    段ボール
５ｃ  谷折り目、第１の折り目
51,52  切り込み
53  折り目、第3の折り目
54  折り目、第2の折り目
55  折り目、第4の折り目
5b  谷折り目、第5の折り目
５Ｐ  領域
56  物品保持構造
６    物品保持材
３４  折り目
３０  物品保持構造
３０Ｐ  領域３０
７    物品
７１  突起物
【図１】
0005482355.tif 000002
【図２】
0005482355.tif 000003
【図３】
0005482355.tif 000004
【図４】
0005482355.tif 000005
【図５】
0005482355.tif 000006
【図６】
0005482355.tif 000007
【図７】
0005482355.tif 000008
【図８】
0005482355.tif 000009
【図９】
0005482355.tif 000010
【図１０】
0005482355.tif 000011
【図１１】
0005482355.tif 000012
【図１２】
0005482355.tif 000013
【図１３】
0005482355.tif 000014
【図１４】
0005482355.tif 000015